(57)【要約】【課題】袋体に収納した温熱材料を、身体に当接させ得る面積を変えることができる温熱具の提供を目的とする。【解決手段】材料収納部４を有する袋体２と、材料収納部４に収納された温熱材料３とを備えている。袋体２には、雌雄一対の第１雄ボタン片５１と第１雌ボタン片５２とからなる第１係止部材と、雌雄一対の第２雄ボタン片５３と第２雌ボタン片５４とからなる第２係止部材とが設けられている。そして、これらの係止部材によって、材料収納部４が、３つの区画収納室４３〜４５に区画されているとともに、隣接するもの同士は、狭小連通口４１、４２によって、温熱材料３を移動可能に連通されている。【選択図】図１
2009254499.tif 000002
【特許請求の範囲】
【請求項１】
温熱材料を収納した材料収納部を備えた袋体を、身体の一部に当てて当該一部を温めるようにした温熱具であって、
前記袋体には、区画部材が設けられ、
前記区画部材は、前記材料収納部を複数の区画収納室に区画しているとともに、隣接する２つの区画収納室の間に、前記温熱材料を相互に移動可能にさせた狭小連通口を形成していることを特徴とする温熱具。
【請求項２】
前記袋体は、細長状の変形自在な前後一対の前片及び後片を備え、
前記材料収納部は、前記前片と後片との間に形成され、
前記袋体には、その袋体を前記身体の一部に当てた状態で当該一部に保持させる保持手段が設けられ、
前記保持手段は、前記袋体における長手方向に互いに距離をもって配置されるとともに、互いに係脱自在に係止する第１係止部材と第２係止部材とを備え、
前記第１係止部材と第２係止部材との少なくとも一つは、前記前片と後片とに、それらの一部同士を連結させるようにして取り付けられ、
前記区画部材は、前記第１係止部材と第２係止部材との少なくとも一つにより構成されていることを特徴とする請求項１記載の温熱具。
【請求項３】
前記区画部材は、前記袋体の幅方向に、互いに距離をもって配置されるとともに、互いに係脱自在に係止する２つの係止片を備え、
前記狭小連通口は、前記２つの係止片の間に形成されていることを特徴とする請求項２記載の温熱具。
【請求項４】
前記袋体の両端側には、夫々、袋体の端部から突出した操作把持部が設けられ、
前記操作把持部の何れか一方には、第５係止部材が設けられ、
前記操作把持部の他方には、前記第５係止部材と係脱自在に係止する第６係止部材が設けられていることを特徴とする請求項１〜３のいずれか一項に記載の温熱具。
【請求項５】
前記袋体は、弾性を有していることを特徴とする請求項１〜４のいずれか一項に記載の温熱具。
【請求項６】
前記温熱材料は、内袋に収納され、
前記袋体は、前記内袋に収納された温熱材料を、その内袋と共に収納していることを特徴とする請求項１〜５のいずれか一項に記載の温熱具。
【請求項７】
前記袋体は、細長状に形成されているとともに、内袋を出し入れする出し入れ口を備え、
前記内袋は、前記袋体と略同じ長さの細長状に形成されているとともに、その長手方向の両端部に、夫々、端部側に漸次細くなるように形成された先細部を備えていることを特徴とする請求項６に記載の温熱具。
【発明の詳細な説明】
【技術分野】
【０００１】
本発明は、身体の一部に当てて当該一部を温める温熱具に関するものである。
【背景技術】
【０００２】
温熱材料を収納した材料収納部を備えた袋体を、その温熱材料が熱を発する状態で身体の一部に当てることにより当該一部を温めるようにした温熱具が、従来から知られている。このような温熱具として、例えば本出願人が提案した温熱パッドがある。この温熱パッドは、袋体の前片と後片とを縫い着けるようにして形成した複数の縫い目を設けており、これらの縫い目によって、袋体内の材料収納部を複数に区切っている。このようにして、材料収納部に収納した温熱材料としてのシリカゲルが一箇所に偏りしないようにしている（特許文献１、図１、図２参照）。
【特許文献１】特許第３１０８０６４号公報
【発明の開示】
【発明が解決しようとする課題】
【０００３】
しかしながら、上記特許文献１に記載のものにおいては、縫い目によって、温熱材料を収納した部分が一箇所に偏りしないようにしているため、袋体に収納した温熱材料を、身体に当接させ得る面積はほとんど変わらない。そのため、例えば身体の首部における後部側の一部だけを集中的に温めたい場合でも、首部の全周に温熱材料を収納した部分が当たってしまい、当該一部だけを集中的に温め難い。尚、その場合に、予め温熱材料の収納部分の面積を小さくしておけば、首部の一部だけを集中的に温めることができるが、首部の全体を温めたい場合に対処できない。
【０００４】
本発明は、袋体に収納した温熱材料を、身体に当接させ得る面積を変えることができる温熱具の提供を目的とする。
【課題を解決するための手段】
【０００５】
本発明は、上記の実情に鑑み提案されたもので、次の特徴を有する温熱具を提供することにより、上記課題を解決する。本発明の請求項１に記載の発明は、温熱材料を収納した材料収納部を備えた袋体を、身体の一部に当てて当該一部を温めるようにした温熱具であって、前記袋体には、区画部材が設けられ、前記区画部材は、前記材料収納部を複数の区画収納室に区画しているとともに、隣接する２つの区画収納室の間に、前記温熱材料を相互に移動可能にさせた狭小連通口を形成していることを特徴とする温熱具を提供する。
【０００６】
請求項２に記載の発明は、請求項１に係る発明の前記袋体は、前記袋体は、細長状の変形自在な前後一対の前片及び後片を備え、前記材料収納部は、前記前片と後片との間に形成され、前記袋体には、その袋体を前記身体の一部に当てた状態で当該一部に保持させる保持手段が設けられ、前記保持手段は、前記袋体における長手方向に互いに距離をもって配置されるとともに、互いに係脱自在に係止する第１係止部材と第２係止部材とを備え、前記第１係止部材と第２係止部材との少なくとも一つは、前記前片と後片とに、それらの一部同士を連結させるようにして取り付けられ、前記区画部材は、前記第１係止部材と第２係止部材との少なくとも一つにより構成されていることを特徴とする温熱具である。
【０００７】
請求項３に記載の発明は、請求項２に係る前記区画部材は、前記袋体の幅方向に、互いに距離をもって配置されるとともに、互いに係脱自在に係止する２つの係止片を備え、前記狭小連通口は、前記２つの係止片の間に形成されていることを特徴とする温熱具である。
【０００８】
請求項４に記載の発明は、請求項１〜３のいずれかに係る発明の前記袋体の両端側には、夫々、袋体の端部から突出した操作把持部が設けられ、前記操作把持部の何れか一方には、第５係止部材が設けられ、前記操作把持部の他方には、前記第５係止部材と係脱自在に係止する第６係止部材が設けられていることを特徴とする温熱具である。
【０００９】
請求項５に記載の発明は、請求項１〜４のいずれかに係る発明の前記袋体は、弾性を有する素材により構成されていることを特徴とする温熱具である。
【００１０】
請求項６に記載の発明は、請求項１〜５のいずれかに係る発明の前記温熱材料は、内袋に収納され、前記袋体は、前記内袋に収納された温熱材料を、その内袋と共に収納していることを特徴とする温熱具である。
【００１１】
請求項７に記載の発明は、請求項６に係る発明の前記袋体は、細長状に形成されているとともに、内袋を出し入れする出し入れ口を備え、前記内袋は、前記袋体と略同じ長さの細長状に形成されているとともに、その長手方向の両端部に、夫々、端部側に漸次細くなるように形成された先細部を備えていることを特徴とする温熱具である。
【発明の効果】
【００１２】
本発明の請求項１によれば、区画部材は、材料収納部を複数の区画収納室に区画しているとともに、隣接する２つの区画収納室の間に、前記温熱材料を相互に移動可能にさせた狭小連通口を形成している。
【００１３】
これにより、温熱材料を、隣接する一方の区画収納室から他方の区画収納室に、狭小連通口を介して移動できる。従って、例えば各区画収納室に温熱材料を収納させて温熱材料を収納した部分の長さを長くすれば、例えば身体の首部や肘の全周に当てて温めることができる。
【００１４】
又、一方側の区画収納室に収納した温熱材料を、他方側の区画収納室に狭小連通口を介して入れ、温熱材料を収納した部分の長さを短くすれば、例えば首部や肘の後部側の一部だけに当てて集中的に温めることができる。
【００１５】
又、その際、一方の区画収納室から他方の区画収納室に入れた温熱材料を、狭小連通口によって、その一方の区画収納室に戻り難くできる。これにより、温熱材料を収納した部分の長さを短くした状態に維持でき、例えば首部や肘の後部側の一部だけに当てる操作の途中で温熱材料が上記一方の区画収納室に戻るおそれの少ないものにできる。
【００１６】
請求項２によれば、袋体における長手方向に互いに距離をもって配置されるとともに、互いに係脱自在に係止する第１係止部材と第２係止部材とを備えた保持手段を、袋体に設けている。
【００１７】
こうすることにより、例えば温熱具を身体の首部や肘に巻き付けるようにしてその全体又は一部に当て、その状態で、第１係止部材と第２係止部材とを係止することによって、袋体を身体の首部や肘等に当てた状態にして保持させることができる。
【００１８】
又、その際、区画部材は、保持手段をなす第１係止部材と第２係止部材との少なくとも一つにより構成されているため、保持手段と区画部材とを兼備でき、容易に低コストで製作できる。
【００１９】
請求項３によれば、区画部材は、前記袋体の幅方向に、互いに距離をもって配置されるとともに、互いに係脱自在に係止する２つの係止片を備え、狭小連通口は、２つの係止片の間に形成されている。
【００２０】
これにより、例えば袋体を幅方向に２つに折り返すようにして、係止片同士を係止すれば、係止片同士間に形成された狭小連通口を塞いだ状態にできる。
【００２１】
従って、温熱材料を、例えば隣接する一方の区画収納室から他方の区画収納室に流し入れた後、係止片同士を係止して狭小連通口を塞いだ状態にしておけば、温熱材料が、より一層、その一方の区画収納室に戻るおそれの少ないものにできる。
【００２２】
請求項４によれば、袋体の両端側には、夫々、袋体の端部から突出した操作把持部が設けられ、前記操作把持部の一方側には、第５係止部材が設けられ、前記操作把持部の他方側には、前記第５係止部材と係脱自在に係止する第６係止部材が設けられている。
【００２３】
こうすることにより、例えば温熱具を身体の一部にあてがう際の操作を、操作把持部によって容易に行うことができる。又、その身体の一部にあてがった状態で、第５係止部材と第６係止部材とを係止しておくことにより、温熱具をその状態に保持させることができ、使用便利なものにできる。
【００２４】
請求項５によれば、袋体は、弾性を有しているため、材料収納部の長さを伸縮できるとともに、袋体を、身体に密接させ易くでき、効率良く温めることができる。
【００２５】
請求項６によれば、袋体は、内袋に収納された温熱材料を、その内袋と共に収納しているため、例えば袋体が汚れて洗うような場合には、温熱材料を内袋に入れた状態で袋体から取り出し、或いは入れることができ、袋体からの温熱材料の出し入れ操作を容易なものにできる。
【００２６】
請求項７によれば、内袋は、袋体とほぼ同長さの細長状に形成されているとともに、その長手方向の両端部に、夫々、端部側に漸次細くなるように形成された先細部を備えている。
【００２７】
これにより、先細部によって、内袋を、袋体の出し入れ口から容易に入れることができる。又、内袋を袋体に入れて収納した後は、先細部によって、全体を湾曲状に形成し易いものにでき、身体の首部や肘等に沿わせ易く、巻き付け操作の容易なものにできる。
【発明を実施するための最良の形態】
【００２８】
以下、本発明を実施するための最良の形態について、図面を参照しながら詳細に説明する。図１は、本発明の一実施の形態の温熱具の正面図、図２は、その温熱具の背面図、図３は、その温熱具の平面図、図４は、図１のＩＶ−ＩＶ線断面図である。
【００２９】
本発明の温熱具１は、袋体２と、袋体２内に収納された温熱材料３とを備えている。袋体２は、左右方向の長手方向が上下方向の幅方向よりも長い細長状で、通気性及び弾性を有するものから構成されている。この実施形態では、袋体２は、ポリエステル系繊維の糸を用いて、前片２ａと後片２ｂとを有する袋状に編まれている。
【００３０】
これにより、袋体２は、全体が弾性を有するものとされているとともに、その前片２ａと後片２ｂとの間に、袋体２とほぼ同長さの材料収納部４を備えており、その材料収納部４に、温熱材料３を収納できるようになっている。
【００３１】
尚、この実施形態の袋体２は、長手方向の左右方向の長さが５００ｍｍ程度、上下方向の長さが１００ｍｍ程度のものから構成されている。
【００３２】
又、この袋体２には、長手方向の左端側（一端側）から右端側（他端側）に順次に配置された第３係止部材５５、５６、第１係止部材５１、５２、第２係止部材５３、５４、及び第４係止部材５７、５８の４つの係止部材が設けられている。
【００３３】
これらの係止部材は、袋体２を身体の首部等の一部に当てた状態に保持させる保持手段としてのもので、第１係止部材５１、５２は、袋体２の長手方向の左端から所定の距離を隔てた位置に配置されている。この実施形態では、第１係止部材５１、５２は、袋体２の左端から、袋体２の長さの１／５程度の距離だけ中央寄りの位置とされている。
【００３４】
又、この実施形態における第１係止部材５１、５２は、袋体２の幅方向の上下両側夫々に配置された係止片としての雌雄一対の第１雄ボタン片５１と第１雌ボタン片５２とを備えている。
【００３５】
第１雄ボタン片５１は、前片２ａ側に押圧操作部５１ａを備え、後片２ｂ側に係止凸部５１ｂを備えている。そして、この第１雄ボタン片５１は、袋体２の上端縁から下方側に所定の距離だけ入った位置（この実施形態では、２０ｍｍ程度）に取り付けられている。
【００３６】
より詳しくは、図４に示すように、第１雄ボタン片５１の係止凸部５１ｂを、袋体２の前片２ａ及び後片２ｂ夫々に設けられたボタン取付孔２ｃに、前片２ａのボタン取付孔２ｃから後片２ｂのボタン取付孔２ｃに通すようにして、袋体２の前片２ａ及び後片２ｂに取り付けられている。
【００３７】
このようにして取り付けられた第１雄ボタン片５１の押圧操作部５１ａは、袋体２の前片２ａ側に配され、その係止凸部５１ｂは、袋体２の後片２ｂ側に配されている。又、この第１雄ボタン片５１によって、袋体２の前片２ａの一部と後片２ｂの一部とが互いに連結した状態になっている。
【００３８】
第１雌ボタン片５２は、前片２ａ側に押圧操作部５２ａを備え、後片２ｂ側に、上記係止凸部５１ｂに係脱自在に係止する係止凹部５２ｂを備えている。
【００３９】
そして、この第１雌ボタン片５２は、袋体２の上下中央線に対して上記第１雄ボタン片５１とほぼ上下対称となる位置に配され、上記第１雄ボタン片５１と同様にして袋体２に取り付けられている。
【００４０】
又、このようにして袋体２に取り付けられた第１雄ボタン片５１と第１雌ボタン片５２とにより、図１に示すように袋体２の材料収納部４の左側部が、第１区画収納室４３と第２区画収納室４４とに区画されている。
【００４１】
又、第１雄ボタン片５１と第１雌ボタン片５２とによって、それらの間の部分に、材料収納部４における他の部分の断面積よりも断面積が小さい第１狭小連通口４１が形成されており、この第１狭小連通口４１によって、第１区画収納室４３と第２区画収納室４４とが、温熱材料を互いに移動可能に連通されている。
【００４２】
従って、これらの第１雄ボタン片５１と第１雌ボタン片５２とにより構成される第１係止部材は、材料収納部４の一部を２つの区画収納室に区画するとともに、それらの間に狭小連通口を形成する区画部材としての機能をも果たしている。
【００４３】
第２係止部材５３、５４は、係止片としての雌雄一対の第２雄ボタン片５３と第２雌ボタン片５４とを備えている。この第２雄ボタン片５３と第２雌ボタン片５４とは、上記第１雄ボタン片５１と第１雌ボタン片５２との夫々と同構成を採っている。
【００４４】
ただし、第２雄ボタン片５３は第２雌ボタン片５４の下側に配されている。又、第２雄ボタン片５３は、袋体２の左右中央線に対して第１雌ボタン片５２と略左右対称となる位置に配されている。また、その押圧操作部５３ａが袋体２の後片２ｂ側に、係止凹部５３ｂが前片２ａ側に、夫々、なるようにして取り付けられている。
【００４５】
第２雌ボタン片５４は、袋体２の左右中央線に対して第１雄ボタン片５１と略左右対称となる位置に配されているとともに、押圧操作部５４ａが袋体２の後片２ｂ側に、係止凹部５３ｂが前片２ａ側に、夫々なるようにして取り付けられている。
【００４６】
又、このようにして袋体２に取り付けられた第２雄ボタン片５３と第２雌ボタン片５４とにより、袋体２の材料収納部４の右側部が、上記の第２区画収納室４４と第３区画収納室４５とに区画されている。
【００４７】
又、第２雄ボタン片５３と第２雌ボタン片５４とによって、それらの間の部分に、材料収納部４における他の部分の断面積よりも断面積が小さい第２狭小連通口４２が形成されている。そして、この第２狭小連通口４２によって、第２区画収納室４４と第３区画収納室４５とが、温熱材料３を互いに移動可能に連通されている。
【００４８】
従って、これらの第２雄ボタン片５３と第２雌ボタン片５４とにより構成される第２係止部材は、上記第１係止部材と同様に、材料収納部４の一部を２つの区画収納室に区画するとともに、それらの間に狭小連通口を形成する区画部材としての機能をも果たしている。
【００４９】
次に、第３係止部材５５、５６について説明する。第３係止部材５５、５６は、袋体２の左端に設けられており、係止片としての雌雄一対の第３雄ボタン片５５と第３雌ボタン片５６とを備えている。この第３雄ボタン片５５は、上記第１雄ボタン片５１と同構成を採り、又、第３雌ボタン片５６は、上記第１雌ボタン片５２と同構成を採っている。
【００５０】
又、これらの第３雄ボタン片５５と第３雌ボタン片５６は、上記第１係止部材５１、５２と同様に、第３雄ボタン片５５が第３雌ボタン片５６の上側に配されているとともに、押圧操作部５５ａ、５６ａが袋体２の前片２ａ側に、係止凸部５５ｂ、係止凹部５６ｂが袋体２の後片２ｂ側に、夫々配されている。
【００５１】
第４係止部材５７、５８は、袋体２の右端に設けられており、係止片としての雌雄一対の第４雄ボタン片５７と第４雌ボタン片５８とを備えている。この第４雄ボタン片５７は、上記第２係止部材の第２雄ボタン片５３と同構成を採り、又、第４雌ボタン片５８は、上記第２雌ボタン片５４と同構成を採っている。
【００５２】
又、これらの第４雄ボタン片５７と第４雌ボタン片５８とは、上記第２係止部材５３，５４と同様に、第４雄ボタン片５７が第４雌ボタン片５８の下側に配されているとともに、押圧操作部５７ａ、５８ａが袋体２の後片２ｂ側になるように配されている。
【００５３】
尚、これらの配置位置は、第４雄ボタン片５７が、袋体２の左右中央線に対して第３雌ボタン片５６と略左右対称となる位置に、第４雌ボタン片５８は、上記上下中央線に対して第３雄ボタン片５５と略左右対称となる位置とされている。
【００５４】
又、この実施形態の袋体２には、長手方向の左端と右端とに、夫々、第１操作把持部としての左操作把持部６１、第２操作把持部としての右操作把持部６２が、左端、右端夫々から突出するように設けられている。これらの操作把持部６１、６２は、袋体２と同じ素材から所定幅に編まれることにより形成された弾性を有する帯状のものから構成されている。
【００５５】
左操作把持部６１は、その一端が、袋体２の左上端に連結され、その他端が袋体２の左下端に連結されている。これにより、左操作把持部６１と袋体２とで、手挿入孔７を有するリング部が形成され、手挿入孔７に手を入れて左操作把持部６１を把持できるようになっている。
【００５６】
又、左操作把持部６１には、係止部材の一部を構成する第５係止部材６３、６４が設けられている。この実施形態の第５係止部材６３、６４は、係止片としての第５雄ボタン片６３及び第５雄ボタン片６３の下方側に配置された第５雌ボタン片６４とを備えている。
【００５７】
第５雄ボタン片６３は、上記第１雄ボタン片５１と同構成を採り、第５雌ボタン片６４は、上記第１雌ボタン片５２と同構成を採っている。又、これらの第５雄ボタン片６３と第５雌ボタン片６４とは、上記第１雄ボタン片５１と第１雌ボタン片５２との距離と同程度の距離をもって配置されている。
【００５８】
右操作把持部６２は、上記操作把持部６１と同構成を採っている。又、右操作把持部６２には、係止部材の一部を構成する第６係止部材６５、６６が設けられている。そして、この第６係止部材６５、６６は、係止片としての第６雄ボタン片６５と第６雌ボタン片６６とを備えている。
【００５９】
第６雄ボタン片６５は、上記第１雄ボタン片５１と同構成を採り、第６雌ボタン片６６は、上記第１雌ボタン片５２と同構成を採っている。ただし、この第６雄ボタン片６５は、第６雌ボタン片６６の下方側に配置されている。
【００６０】
次に、温熱材料３について説明する。この実施形態では、温熱材料３として、二酸化ケイ素（ＳｉＯ２）を原材料とした粒状のシリカゲルが用いられている。シリカゲルは、大気中の水分を吸着する。実験結果では、相対湿度が３０％のとき、シリカゲル１００グラムに対して水分１８グラムを保有し、相対湿度６０％のとき、シリカゲル１００グラムに対して水分２９グラムを保有する。又、相対湿度９０％のとき、シリカゲル１００グラムに対して水分３５グラムを保有する。
【００６１】
従って、水分を吸着したシリカゲルを電子レンジ等の加熱手段によって加熱すると、電子レンジの高周波がシリカゲル中の水分温度を上げて蒸気熱を発生する。蒸気熱は適当な湿度を含んだ湿熱を有することとなるので、この湿熱を身体の患部に当てると、穏やかに患部を温めることができ、快適な温熱治療を患部に施すことができる。
【００６２】
このようなシリカゲルは、袋体２の材料収納部４に収納されている。材料収納部４に収納されるシリカゲルの量は、特に限定されないが、この実施形態では、第１区画収納室４３及び第３区画収納室４５が空の状態で、第２区画収納室４４がほぼ満たんになる程度の量にしている（図９参照）。
【００６３】
以上のように構成された本発明の温熱具を使用するに際しては、まず、温熱具１を加熱手段としての電子レンジで温める。例えば５００Ｗから７００Ｗで約１分間加熱することにより使用に適した程度に温めることができる。
【００６４】
尚、気温２８度、湿度７５％の下で、出力６００ワットの電子レンジで１分間加熱すると、その直後の袋体２の表面温度は、約６０度に温められており、又、３０分経過後も約３４度を維持していた。
【００６５】
この温熱具１によって、身体の一部、例えば首部の全周を温める場合は、温熱材料を、例えば第１区画収納室４３、第２区画収納室４４及び第３区画収納室４５の夫々に満遍なく入れた状態にする（図１の状態）。そして、例えば図１の状態から、首部の後部側に、袋体２の前片２ａを当てるようにして、袋体２の左右両端側を前方側に回し、図５、図６に示すように、第３係止部材５５、５６の径外側に、第４係止部材５７、５８を配置するように巻く。
【００６６】
そして、第３係止部材の第３雄ボタン片５５と第４係止部材の第４雌ボタン片５８とを係止するとともに、第３雌ボタン片５６と第４雄ボタン片５７とを係止する。これにより、首部の全周に温熱具１を巻いた状態で保持できる。
【００６７】
その際、袋体２が弾性を有するため、温熱具１を首部の全周にほぼ密接でき、首部の全周をほぼ均等に温めることができる。
【００６８】
又、例えば首周りが小さく、温熱具１と首部との間に隙間ができるような場合は、例えば図７に示すように第１区画収納室４３の径外側に第３区画収納室４５を配置するようにして、第１係止部材５１、５２と、第４係止部材５７、５８又は第２係止部材５３、５４とを係止する。これにより、首周りが小さい人でも隙間ができるようなことを防止できる。
【００６９】
又、上記のように第１区画収納室４３の径外側に第３区画収納室４５を配置する場合において、例えば第３区画収納室４５に温熱材料３が収納されている場合には、図８（ｂ）に示すように、第１区画収納室４３及び第３区画収納室４５夫々の幅方向の中央部が膨らんだ状態になる。
【００７０】
そのため、例えば第１係止部材の第１雄ボタン片５１と第４係止部材の第４雌ボタン片５８とが、第１雌ボタン片５２と第４雄ボタン片５７とが、夫々、中央部の膨らみが邪魔になって互いに接近し難く、それらを係止させ難い。しかも、両者を係止できた場合でも、中央部の膨らみによって、その係止が外れ易い。
【００７１】
そこで、例えば第３区画収納室４５内の温熱材料を、第２区画収納室４４に移し入れて第３区画収納室４５を空の状態又は少ない状態にしておく。これにより、図８（ａ）に示すように第３区画収納室４５を形成した袋体２の部分をシート状の変形し易い状態にでき、第１区画収納室４３の外周面にその径外側から第３区画収納室４５の部分を容易に沿わすことができる。
【００７２】
従って、第１係止部材の第１雄ボタン片５１と第４係止部材の第４雌ボタン片５８とを、第１雌ボタン片５２と第４雄ボタン片５７とを、夫々、容易に係止させることができる。又、両者を係止した後は、両者の係止が外れ難いものにできる。
【００７３】
又、その際、第２区画収納室４４に入れた温熱材料が第３区画収納室４５に戻ってくると、上述のように両者を係止させ難くなるとともに、両者の係止が外れ易くなる。
【００７４】
しかし、第２区画収納室４４と第３区画収納室４５とを連通した第２狭小連通口４２によって、温熱材料が第２区画収納室４４から第３区画収納室４５に戻り難くなっている。
【００７５】
従って、第１係止部材５１、５２と第４係止部材５７、５８とを係止させる際に、第２区画収納室４４に入れた温熱材料が第３区画収納室４５に戻ってきて、係止させ難くなるようなことを防止できる。
【００７６】
又、例えば身体の腕の肘等の各部、足の太ももや膝などの各部、或るいは肩部を温める場合も、上記と同様にして行うことができる。また、身体の腕の肘等の各部に温熱具１を保持させる場合、例えば第１区画収納室４３の径外側に第３区画収納室４５を配置するように巻いて第１係止部材５１、５２と、第２係止部材５３、５４又は第４係止部材５７、５８とを係止すれば良いため、片手でも容易に行うことができる。
【００７７】
一方、温熱具１を、例えば腰部に装着する場合は、温熱具１を腰部に回して、温熱具１の左右の両操作把持部６１、６２を把持して引っ張り操作し、例えば第５係止部材の第５雄ボタン片６３と第６係止部材の第６雌ボタン片６６とを係止するとともに、第５雌ボタン片６４と第６雄ボタン片６５とを係止する。
【００７８】
これにより、温熱具１を腰部に巻いた状態に保持できる。又、その際、袋体２及び操作把持部６１、６２が弾性を有するため、多少の腰部周りの大きさの異なる人でも温熱具１を腰部に密接できるとともに、確実に装着できる。
【００７９】
尚、上記の場合に、第５係止部材と第６係止部材とを、互いに係止する形態のものに限らず、例えば第６係止部材６５、６６と第３係止部材５５、５６とを係止し、或いは、第６係止部材６５、６６と第１係止部材５１、５２とを係止することもできる。
【００８０】
これにより、腰部に保持する際の温熱具１の周長さ（径の大きさ）を腰部周りの大きさに応じて調整でき、種々の大きさの腰部に密接できるとともに、確実に保持させることができる。
【００８１】
又、例えば首部や肘等の後部側の一部だけを温める場合は、図９に示すように例えば第１区画収納室４３及び第３区画収納室４５内の温熱材料を第２区画収納室４４に、第１狭小連通口４１、第２狭小連通口４２から流し入れる。そして、その状態で、上記と同様にして首部等に装着する。これにより、首や肘等の一部だけを集中的に温めることできる。
【００８２】
又、上記のように温熱材料を全て第２区画収納室４４に集めて使用する場合、図１０、図１１に示すように、第１区画収納室４３を幅方向の中央部から２つに折り返して第１係止部材の第１雄ボタン片５１と第１雌ボタン片５２とを係止する。又は、それに加えて、第３係止部材の第３雄ボタン片５５と第３雌ボタン片５６とを係止する。
【００８３】
これにより、第１狭小連通口４１及び第１区画収納室４３を塞ぐことができ、温熱材料３が第２区画収納室４４から第３区画収納室４５に入り込む恐れの少ないものにできる。
【００８４】
同様に、第２区画収納室４４を幅方向の中央部から２つに折り返して第２係止部材の第２雄ボタン片５３と第２雌ボタン片５４とを係止する。又は、それに加えて、第４係止部材の第４雄ボタン片５７と第４雌ボタン片５８とを係止する。
【００８５】
これにより、第２狭小連通口４２及び第２区画収納室４４を塞ぐことができ、温熱材料３が第２区画収納室４４から第３区画収納室４５に入り込む恐れの少ないものにできる。
【００８６】
そして、この状態で、首や背中に回し、左右の両操作把持部６１、６２を把持して操作することにより、首の一部や背中の一部を集中的に温めることができる。
【００８７】
尚、上記実施形態では、材料収納部４を、３つの区画収納室４３、４４、４５に区画しているが、この形態のものに限らず、２つ又は４つ以上の区画収納室に区画するようにしても良く、適宜変更し得る。
【００８８】
又、上記実施形態では、区画収納室に区画する区画部材を、保持手段を構成した第１係止部材と第２係止部材とにより構成しているが、この形態のものに限らず、第１係止部材と第２係止部材とは別途に設けるようにしても良く、適宜変更できる。
【００８９】
例えば袋体２を、幅方向の両端夫々に逢着部を形成しそれらの逢着部の間に狭小連通口を形成するようにしても良い。
【００９０】
また、上記実施形態では、第１係止部材〜第６係止部材を構成する係止片を、ボタン片から構成しているが、例えば面ファスナーから構成することもでき、適宜変更できる。
【００９１】
又、上記実施形態では、第１係止部材〜第６係止部材を、２つのボタン片から構成しているが、この形態のものに限らず、１又は３以上のボタン片や面ファスナー片から構成しても良く、適宜変更できる。
【００９２】
又、上記実施形態では、袋体を、弾性を有するものから構成しているが、例えば弾性を有しない布から構成しても良く、適宜変更できる。
【００９３】
また、上記実施形態では、温熱材料として、シリカゲルを用いているが、シリカゲルを用いる形態のものに限らず、例えば稲、麦、稗、粟等の穀類を用いることもでき、穀類を、シリカゲルに代えて、或いは、シリカゲルと共に用いても良く、適宜変更できる。
【００９４】
又、上記実施形態では、温熱材料としてのシリカゲルを直接袋体に入れているが、例えばシリカゲルを内袋に入れ、その内袋に入れた温熱材料３であるシリカゲルを、区画収納室夫々に入れるようにしても良い。以下に、内袋に入れた温熱材料３を、袋体に、その内袋と共に収納するようにした温熱具の実施形態を、詳しく説明する。
【００９５】
袋体１０２は、図１２に示すように、長手方向の両端に、夫々、内袋（図１３に示す）に入れた温熱材料３を出し入れするための出し入れ口１１０を備えている。又、この出し入れ口１１０には、夫々、袋体１０２の後片側と前片側とに、互いに係脱自在に係止する開閉手段としてのボタン片１５１、１５２が設けられている（図では、前片側のものだけが表われ、後片側のものは表われていない。）。
【００９６】
そして、前片側のボタン片１５１、１５２と後片側のボタン片とが互いに係止することにより、出し入れ口１１０を閉じた状態にし、又、係止を外すことにより、出し入れ口１１０を開いた状態にできるようになっている。その他は、上記の袋体２と同じ構成を採っている。
【００９７】
内袋１０３は、図１３（ａ）（ｂ）に示すように、内部に温熱材料３を収納した状態で、全周部が縫製されることによって閉じられている。又、この状態で、内袋１０３は、袋体１０２の長さと略同じ長さの細長状で、袋体１０２の材料収納部４に収納可能な大きさを呈している。尚、内袋１０３に収納された温熱材料３の量は、内袋１０３の内部を自在に移動可能な量である。
【００９８】
又、内袋１０３の長手方向の両端部には、夫々、先細部１２０が備えられ、それらの２つの先細部１２０の間の中央部には、胴部１２１が備えられている。先細部１２０は、夫々、胴部１２１から端部にかけて、端部側に漸次内部の断面積を小さくして先細になるように形成されている。
【００９９】
従って、内袋１０３に収納された温熱材料３は、内袋１０３の両端側の先細部１２０から中央部側の胴部１２１側には、内袋１０３の断面積が漸次大きくなるために、移動し易い。一方、胴部１２１から先細部１２０側には、内袋１０３の断面積が漸次小さくなるために、移動し難いようになっている。
【０１００】
また、この実施形態の内袋１０３の長手方向の両端には、夫々、操作補助片１３０が端部から突出するように設けられている。この操作補助片１３０は、袋体１０２に内袋１０３を出し入れ操作する際のその操作を補助するためのもので、この実施形態では、紐状部材によって、指を入れ得る大きさの孔を有するリング状に形成され、その両端が内袋１０３の端部に縫製されることによって係止されている。尚、この実施形態の内袋１０３は、弾性を有するものとされているが、弾性を有しないものでも良い。
【０１０１】
そして、このように構成された内袋１０３は、例えば次のようにして袋体１０２に収納される。まず、内袋１０３のいずれか一方の先細部１２０を、袋体１０２のいずれか一方の出し入れ口１１０に入れていく。その際、先細部１２０が、端部側に漸次先細になるように形成されているため、内袋１０３の端部側を袋体１０２に容易に入れることができる。
【０１０２】
又、内袋１０３の先細部１２０の先端側の一部が袋体１０２に入った後は、例えば他方の出し入れ口１１０から手の指を入れ、内袋１０３の操作補助片１３０を引っ掛けるようにして袋体１０２に対して他方の出し入れ口１１０側に引っ張る。これにより、容易に内袋１０３を袋体１０２に収納できる（図１２参照）。
【０１０３】
又、この収納状態では、図１２に示すように、内袋１０３の胴部１２１及び先細部１２０における胴部１２１側の一部は、袋体１０２の第２区画収納室４４に配設されている。又、内袋１０３の先細部１２０における先端側の一部は、夫々、袋体１０２の第１区画収納室４３、第３区画収納室４５に配設された状態になる。
【０１０４】
そして、例えば首部のほぼ全周に渡って温熱材料３で温める場合は、上述したと同様に、袋体１０２の第１区画収納室４３、第２区画収納室４４、及び第３区画収納室４５に夫々、内袋１０３を介して温熱材料３が入った状態にして使用する。即ち、内袋１０３の先細部１２０及び胴部１２１の全体に温熱材料３が入った状態（図１３（ｂ）に示す状態）にして使用する。
【０１０５】
その際、第１区画収納室４３及び第３区画収納室４５夫々には、内袋１０３の先細部１２０に入った温熱材料３が配設されているため、温熱具を首に沿わせて湾曲状に形成し易く、首部への巻き付け操作のし易いものにできる。
【０１０６】
また、例えば首部の後部だけを温熱材料３で温める場合は、上述したように、袋体１０２の第１区画収納室４３及び第３区画収納室４５の温熱材料３を、第２区画収納室４４に移動させる。
【０１０７】
その際、内袋１０３の先細部１２０に収納された温熱材料３を、内袋における先細部１２０から漸次内部の断面積が大きくなる胴部１２１側に移動させれば良く、袋体１０２の第１区画収納室４３及び第３区画収納室４５から第２区画収納室４４への温熱材料３の移動を容易に行うことができる。
【０１０８】
又、移動させた後は、内袋における胴部１２１から先細部１２０側には、漸次内部の断面積が小さくなるため、温熱材料３は、先細部１２０側に戻り難く、第２区画収納室４４から第１区画収納室４３又は第３区画収納室４５に移動し難くなる。従って、第２区画収納室４４に入った状態を維持し易いものにできる。
【０１０９】
尚、上記実施形態では、内袋用の出し入れ口１１０を、袋体１０２の長手方向の両端夫々に形成しているが、この形態のものに限らず、適宜変更できる。例えば出し入れ口１１０を、袋体１０２の長手方向の一端に一つだけ形成し、或いは、袋体１０２の中央部に一つまたは複数、形成しても良い。ただし、上記実施形態のように温熱具の全体形状を細長状にする場合は、上記出し入れ口１１０を、袋体１０２の長手方向の両端夫々に形成しておけば、上述のようにして内袋１０３を袋体１０２に容易に入れることができ、有利である。
【図面の簡単な説明】
【０１１０】
【図１】本発明の一実施の形態の温熱具の正面図である。
【図２】その温熱具の背面図である。
【図３】その温熱具の平面図である。
【図４】図１のＩＶ−ＩＶ線拡大断面説明図である。
【図５】第３係止部材と第４係止部材とを係止した状態の温熱具の拡大した正面図である。
【図６】第３係止部材と第４係止部材とを係止した状態の温熱具の拡大した平面図である。
【図７】第１係止部材と第４係止部材とを係止した状態の温熱具の拡大した平面図である。
【図８】図８（ａ）は、第３区画収納室を空にして第１区画収納室の径外側に配置し第１係止部材と第４係止部材とを係止した状態の拡大断面説明図、図８（ｂ）は、第３区画収納室に温熱材料を収納した状態で第１区画収納室の径外側に配置した際の拡大断面説明図である。
【図９】温熱材料を第２区画収納室に集めた状態の平面図である。
【図１０】温熱材料を第２区画収納室に集めて第１係止部材〜第４係止部材の夫々の雄ボタン片と雌ボタン片とを係止した状態の正面図である。
【図１１】図１０の平面図である。
【図１２】他の実施形態の袋体の斜視図である。
【図１３】温熱材料を収納した状態の内袋の説明図に係り、図１３（ａ）は、その正面図、図１３（ｂ）は、その平面図である。
【符号の説明】
【０１１１】
１    温熱具
２、１０２    袋体
３    温熱材料
４    材料収納部
４１    第１狭小連通口
４２    第２狭小連通口
４３    第１区画収納室
４４    第２区画収納室
４５    第３区画収納室
５１    第１雄ボタン片（第１係止部材）
５２    第１雌ボタン片（第１係止部材）
５３    第２雄ボタン片（第２係止部材）
５４    第２雌ボタン片（第２係止部材）
５５    第３雄ボタン片（第３係止部材）
５６    第３雌ボタン片（第３係止部材）
５７    第４雄ボタン片（第４係止部材）
５８    第４雌ボタン片（第４係止部材）
６１    左操作把持部（第１操作把持部）
６２    右操作把持部（第１操作把持部）
６３    第５雄ボタン片（第５係止部材）
６４    第５雌ボタン片（第５係止部材）
６５    第６雄ボタン片（第６係止部材）
６６    第６雌ボタン片（第６係止部材）
１０３    内袋
１２０    先細部
【図１】
2009254499.tif 000003
【図２】
2009254499.tif 000004
【図３】
2009254499.tif 000005
【図４】
2009254499.tif 000006
【図５】
2009254499.tif 000007
【図６】
2009254499.tif 000008
【図７】
2009254499.tif 000009
【図８】
2009254499.tif 000010
【図９】
2009254499.tif 000011
【図１０】
2009254499.tif 000012
【図１１】
2009254499.tif 000013
【図１２】
2009254499.tif 000014
【図１３】
2009254499.tif 000015